(57)【要約】【課題】ハードディスクを簡単に短時間で破壊して確実に機密保持できると共に、軽量小型で持ち運びが可能なハードディスク破壊装置を提供すること。【解決手段】ハードディスク破壊装置１０は、金属製ケース４内にディスク２を収納したハードディスク１を物理的に破壊するために用いられ、持ち運び可能に構成されている。ハードディスク破壊装置１０は、ハードディスク１を保持する保持部３０と、ハードディスク１の一部を切断する切断機構部４０と、その切断箇所の下方に配置された切粉貯留部５０とを備える。切断機構部４０は、ハードディスク１のケース４及びディスク２の一部を切断する回転型のカッター４１と、カッター４１を回転駆動する駆動部４２と、カッター４１を切断位置に移動させる移動操作部４３とを備える。【選択図】  図３
2005040666.tif 000002
【特許請求の範囲】
【請求項１】
金属製ケース内にディスクを収納したパソコン用ハードディスクを物理的に破壊するために用いられる持ち運び可能なハードディスク破壊装置において、
前記ハードディスクを保持する保持部と、前記保持部に保持される前記ハードディスクの一部を切断する切断機構部と、前記ハードディスクの切断箇所の下方に配置された切粉貯留部とを備え、
前記切断機構部は、前記保持部に保持される前記ハードディスクのケース及びディスクの一部を切断する回転型のカッターと、前記カッターを回転駆動する駆動部と、前記カッターを切断位置に移動させる移動操作部とを備えることを特徴とするハードディスク破壊装置。
【請求項２】
前記保持部は、前記ハードディスクを載置する台部と、前記台部に前記ハードディスクを縦に載置可能にその厚みより若干大きな隙間を有する位置決め部材と、載置されるハードディスクを水平方向及び上下方向にクランプするクランプ部材とを有することを特徴とする請求項１に記載のハードディスク破壊装置。
【請求項３】
前記切断機構部及び前記切粉貯留部を装置箱体内に設けると共に、前記保持部を開閉可能に覆う保護カバーを設け、前記保護カバーを閉じた状態で前記切断機構の動作を可能とするインターロック手段を有することを特徴とする請求項１または２に記載のハードディスク破壊装置。
【請求項４】
前記装置箱体及び前記保護カバーの内面に防音材を貼り付けたことを特徴とする請求項３に記載のハードディスク破壊装置。
【請求項５】
装置箱体の外部に露出した一箇所の三角形状手動ハンドルで前記移動操作部を操作可能としたことを特徴とする請求項１から４の何れかに記載のハードディスク破壊装置。
【請求項６】
前記ハードディスクの外周から前記ディスクの中心とはずらして中央方向に切断するように前記カッターを移動させる前記移動操作部としたことを特徴とする請求項１から５の何れかに記載のハードディスク破壊装置。
【請求項７】
前記ハードディスクを縦に保持するように前記保持部を設け、前記ハードディスクの延びる方向と交差する方向に延び且つ前記ハードディスクを切断する際の切粉の主発生側が反駆動部側となるように前記カッターを設け、前記カッターの反駆動部側に前記切粉貯留部を設けたことを特徴とする請求項１から６の何れかに記載のハードディスク破壊装置。
【請求項８】
前記切粉貯留部を上面を開口した切粉収納容器で構成し、この切粉収納容器を前記装置箱体から取り出し可能に設置したことを特徴とする請求項７に記載のハードディスク破壊装置。
【発明の詳細な説明】
【０００１】
【発明の属する技術分野】
本発明はハードディスク破壊装置に係り、特に廃棄するパソコンのハードディスクを物理的に破壊する持ち運び可能なハードディスク破壊装置に好適なものである。
【０００２】
【従来の技術】
従来のパソコンの廃棄物処理方法として、特開２００１−９４３５号公報（特許文献１）に記載されたものがある。この廃棄物処理方法は、パソコンを廃棄物処理装置の解体セクションに搬入して有用資源の部品等を取外した後、ハードディスクを含む筐体を破砕機に投入して破砕し、この破砕片を選別して有用資源を取り出すようにしている。
【０００３】
【特許文献１】
特開２００１−９４３５号公報
【０００４】
【発明が解決しようとする課題】
しかし、特許文献１の廃棄物処理方法には、パソコン所有者から排出されたパソコンに内蔵されたハードディスクに機密情報が含まれている場合の対処方法について開示されていない。即ち、この廃棄物処理方法では、パソコン全体を破砕するための大型の破砕機が用いられるため、パソコン排出者の所まで廃棄物処理装置を持参してハードディスクを破砕することは困難である。このため、パソコン排出者が廃棄物処理装置のある所まで出かけて行って、ハードディスクが完全に破砕されるのを確認しなければ、ハードディスクに記憶された情報の機密保持を万全なものとすることができず、極めて面倒であった。
【０００５】
そこで、運搬業者がハンマー等を用いてパソコン排出者の面前でハードディスクを物理的に破壊してから排出する方法が行なわれている。しかし、この方法で、ハードディスクの金属製ケース内のディスクを完全に破壊するには、金属製ケースの外部から極めて大きな力を加える必要があり、完全に破壊することが極めて難しかった。また、この際に、ハードディスクのカバー等を締結している締結具も損傷してしまうこととなり、ハードディスクの破壊後にカバー等を取外してハードディスク内の部品を取り出し、リサイクルすることが困難となってしまうものであった。
【０００６】
本発明の目的は、ハードディスクを簡単に短時間で破壊して確実に機密保持できると共に、軽量小型で持ち運びが可能なハードディスク破壊装置を提供することにある。
【０００７】
【課題を解決するための手段】
前記目的を達成するために、本発明は、金属製ケース内にディスクを収納したパソコン用ハードディスクを物理的に破壊するために用いられる持ち運び可能なハードディスク破壊装置において、前記ハードディスクを保持する保持部と、前記保持部に保持される前記ハードディスクの一部を切断する切断機構部と、前記ハードディスクの切断箇所の下方に配置された切粉貯留部とを備え、前記切断機構部は、前記保持部に保持される前記ハードディスクのケース及びディスクの一部を切断する回転型のカッターと、前記カッターを回転駆動する駆動部と、前記カッターを切断位置に移動させる移動操作部とを備える構成にしたことにある。
【０００８】
前記目的をより好ましく達成するために、本発明は、さらに、次の構成したものである。
（１）前記保持部は、前記ハードディスクを載置する台部と、前記台部に前記ハードディスクを縦に載置可能にその厚みより若干大きな隙間を有する位置決め部材と、載置されるハードディスクを水平方向及び上下方向にクランプするクランプ部材とを有する。
（２）前記切断機構部及び前記切粉貯留部は装置箱体内に設けられていると共に、前記保持部を開閉可能に覆う保護カバーが設けられ、前記保護カバーを閉じた状態で前記切断機構の動作を可能とするインターロック手段が設けられている。
（３）前記箱体及び前記保護カバーはその内面に防音材を貼り付けられている。
（４）前記移動操作部は装置箱体の外部に露出した一箇所の手動ハンドルで操作可能である。
（５）前記移動操作部は前記ハードディスクの外周から前記ディスクの中心とはずらして中央方向に切断するように前記カッターを移動させるように構成されている。
（６）前記保持部は前記ハードディスクを縦に保持するように設けられ、前記カッターは前記ハードディスクの延びる方向と交差する方向に延び且つ前記ハードディスクを切断する際の切粉の主発生側が反駆動部側となるように設けられ、切粉貯留部は前記カッターの反駆動部側に設けられている。
（７）前記切粉貯留部は上面を開口した切粉収納容器で構成されると共に、前記装置箱体から取り出し可能に設置されている。
【０００９】
【発明の実施の形態】
以下、本発明の一実施例を図１から図５を用いて説明する。
【００１０】
最初に、ハードディスク破壊装置の破壊対象物であるハードディスクの一例について図１及び図２を参照しながら説明する。図１は本発明のハードディスク破壊装置の破壊対象となるハードディスクの一例を示す正面図、図２は図１のハードディスクのＡ−Ａ断面相当図である。なお、図１のハードディスクはケースカバーを取外した状態を示す。
【００１１】
ハードディスク１は、固定式または携帯式のパソコンに搭載されて用いられ、磁気ディスク２、スピンドルモータ３及びディスクケース４を備えて構成されている。なお、ハードディスクとしては、磁気ディスクのみならず、光ディスクも本発明を適用できる。
【００１２】
ディスクケース４は、複数の部材で構成されており、ケース本体４ａにカバー４ｂをボルト等の締結具４ｃを介して着脱可能に締結すると共に、ケース本体４ａにモータフランジ３ｃをボルト等の締結具３ｃを介して着脱可能に締結することにより構成されている。磁気ディスク２、スピンドルモータ３及びアクチュエータ５はディスクケース４内の密閉空間に配置されている。
【００１３】
かかる構成によれば、締結具４ｃ及び３ｃを外してカバー４ｂ及びモータフランジ３ｂを取外すことにより、内蔵された磁気ディスク２、スピンドルモータ３及びアクチュエータ５を取外して容易にリサイクルすることができる。
【００１４】
磁気ディスク２は、情報を記録する円板状の媒体であり、ケース本体４ａ内に設置されたスピンドルモータ３に装着されて高速で回転される。この磁気ディスク２は、ディスクスペーサ２ａを介して複数枚積み重ねられ、ディスククランプ２ｂによりクランプされてスピンドルモータ３の外周に装着されている。
【００１５】
ケース本体４ａは、磁気ディスク２を円弧状に囲む部分、アクチュエータ５を支持する部分、アクチュエータ５を囲む部分等を一体に形成して矩形箱型に構成されている。ケース本体４ａは、金属製であり、例えば軽量なアルミニウム鋳造品等が用いられている。
【００１６】
スピンドルモータ３は、磁気ディスク２を装着したモータ本体３ａと、このモータ本体３ａの一側に形成されたモータフランジ３ｂと、を備えて構成されている。モータフランジ３ｂは、金属製であり、例えば鉄、ステンレス等の高ヤング率材や鍛造材等の強度が強い材料が用いられている。そして、モータフランジ３ｂは、外周部に複数の取付け部が突出して形成されており、複数の取付け部分で締結具３ｃを介してケース本体４ａに締結されている。
【００１７】
アクチュエータ５は、サスペンション５ａ、キャリッジアーム５ｂ、ピボットベアリング５ｃ、マグネット５ｄを備えて構成されている。サスペンション５ａは、先端部にヘッド５ｅを装着しており、磁気ディスク２上を半径方向に往復動される。
【００１８】
次に、ハードディスク破壊装置１０を図３から図５を参照しながら説明する。図３は本発明の一実施例のハードディスク破壊装置の縦断面図、図４は図３のハードディスク破壊装置の正面図、図５は図３のハードディスク破壊装置の平面図である。
【００１９】
ハードディスク破壊装置１０は、パソコンの廃棄時にパソコン用ハードディスク１を物理的に破壊するためのものであり、一人でも持ち運び可能なように３０ｋｇ以下の重量になっている。このハードディスク破壊装置１０は、概略的には、装置箱体２０と、ワークであるハードディスク１を保持する保持部３０と、保持部３０に保持されたハードディスク１を切断する切断機構部４０と、ハードディスク１の切断箇所の下方に配置されて切粉貯留部を構成する切粉収納容器５０とを備えている。このように、ハードディスク破壊装置１０が極めて簡単な構成であるため、その重量を３０ｋｇ以下に抑えることができる。なお、持ち運びの際には、移動式台座（例えばキャスター付きの移動台車）等に簡単に載せることができ、移動式台座等に載せて顧客先まで運ぶようにすれば、より一層搬送が容易となる。
【００２０】
装置箱体２０は、切断機構部４０及び切粉収納容器５０を収納する箱体本体２１と、保持部３０を開閉可能に覆う保護カバー２２とを備えて構成されている。箱体本体２１の内面には防音材２１ａが貼り付けられ、保護カバー２２の内面にも防音材２２ａが貼り付けられている。この防音材２１ａ及び２２ａにより、ハードディスク１の切断時における騒音が外部に漏れることを低減することができる。ハードディスク１の破壊をハードディスク１の排出者であるパソコン所有者等の面前（現地顧客先）で行なう場合に、低騒音であることは、顧客先に騒音で迷惑をかけることがなく、特に有効である。
【００２１】
保護カバー２２は、回動軸２２ｂが一側に設けられて箱体本体２１に回動可能に取り付けられると共に、摘み２２ｃが他側に設けられている。ハードディスク１を破壊するためにハードディスク１を保持部３０に保持しようとする場合には、摘み２２ｃを持って保護カバー２２を回動して保持部３０を開放することにより、ハードディスク１を保持部３０に容易に保持することができる。
【００２２】
また、保護カバー２２の上面には、透明なガラスや合成樹脂等で構成される透視部２２ｄが設けられている。保護カバー２２の外部からこの透視部２２ｄを通して、保持部３０でのハードディスク１の保持状態を容易に確認することができると共に、ハードディスク１の切断状態を切粉が周囲に飛散することを防止しつつ容易に確認することができる。
【００２３】
箱体本体２１にはハードディスク破壊装置１０を持ち運ぶための把持部２３が設けられている。ハードディスク破壊装置１０の使用者は、把持部２３を持ってハードディスク１の排出者の所へ容易に運ぶことができる。把持部２３は、箱体本体２１の両側に対称的に設けられているので、この把持部２３を両手で持ってハードディスク破壊装置１０を一人で容易に持ち運ぶことができる。
【００２４】
保持部３０は台部３１と位置決め部３２とを備えて構成されている。台部３１は装置本体２１の上面壁を兼ねている。これにより箱体本体２１はほぼ閉鎖された内部空間を有する箱体状に形成されている。台部３１のハードディスク１が載置される位置には、切断機構４０のカッター４２の上部が上方に突出して移動できるように穴３１ａが形成されている。この穴３１ａは、切粉が切粉収納容器５０に落下するための穴としても利用されるように、反駆動部側が広く形成されている。
【００２５】
位置決め部３２は、台部３１と共にハードディスク１を保持して位置決めするためのものであり、ハードディスク１を立った状態に（縦に）保持できるように設けられている。位置決め部３２は、台部３１上に、位置決め部材３２ａ、３２ｂ及びクランプ部材３２ｃ、クランプ部材３２ｄを備えて構成されている。
【００２６】
位置決め部材３２ａ及び３２ｂは、Ｌ字状に形成され、ハードディスク１の厚さより大きな隙間を有するようにその立上げ部が対向して配置されている。位置決め部材３２ａ及び３２ｂは、台部３１に台座３２ｅ、３２ｇを介してボルト等の締結具３２ｆ、３２ｈにより固定されている。ハードディスク１は、その厚さがほぼ同じか若干異なっており、位置決め部材３２ａ及び３２ｂの隙間はこれらに対応できる寸法にしておくことが望ましい。
【００２７】
クランプ部材３２ｃは、位置決め部材３２ａに前後に複数取り付けられている。それぞれのクランプ部材３２ｃは、位置決め部材３２ａの立上げ部に設けられたねじ穴を貫通するようにねじ込まれている。位置決め部材３２ａ及び３２ｂの隙間にハードディスク１を配置した状態で、クランプ部材３２ｃをねじ込むことにより、その先端がハードディスク１の側面に当接され、ハードディスク１が位置決め部材３２ｂの立上げ部に当接される。これによって、ハードディスク１は前後方向がクランプされることとなる。
【００２８】
クランプ部材３２ｄは、位置決め部材３２ｂに前後に複数取り付けられている。それぞれのクランプ部材３２ｄは、位置決め部材３２ｂの立上げ部から位置決め部材３２ａ側に突出する部分に設けられたねじ穴を貫通するようにねじ込まれている。位置決め部材３２ａ及び３２ｂの隙間にハードディスク１を配置し且つクランプ部材３２ｃによりクランプした状態で、クランプ部材３２ｄをねじ込むことにより、その先端がハードディスク１の上面に当接され、ハードディスク１は上下方向もクランプされることとなる。これによって、ハードディスク１は保持部３０に上下水平方向でクランプされることとなる。なお、位置決め部材３２ｂの立上げ部から位置決め部材３２ａ側に突出する部分を有しているため、ハードディスク１は側方から位置決め部材３２ａ及び３２ｂの隙間にハードディスク１を配置する。
【００２９】
切断機構部４０は、保持部３０に保持されるハードディスク１の一部を切断する回転型のカッター４２と、カッター４２を回転駆動する駆動部４２と、カッター４２を切断位置に移動させる移動操作部４３とを備えて構成されている。
【００３０】
カッター４１は、その外周部に鋸刃を全周に有する円板状に形成されて箱体本体２１内に配置されている。またカッター４１は、保持部３０に保持されたハードディスク１の直下にハードディスク１と交差するように垂直に配置されている。図示例では、ハードディスク１が左右方向に延びるように配置されているので、駆動部４２は水平方向（図示例では前後方向）に延びるように配置されている。
【００３１】
カッター４１の鋸刃は、ハードディスク１を切断する際に発生する切粉の主発生側が反駆動部側となるような形状に形成されている。そして、カッター４１でハードディスク１を切断することによる破壊は、ハンマー等を用いて破壊することと比較して、磁気ディスク２まで確実に破壊することができる。また、磁気ディスク２が複数枚で構成されていても、全てを切断して破壊することが可能である。そして、ハードディスク１の破壊の際に、締結具４ｃ、３ｃを損傷することがないため、ハードディスク１を破壊した後に締結具４ｃ、３ｃを取外してディスクケース４内の部品（磁気ディスク２、スピンドルモータ３及びアクチュエータ５）を分解して取り出すことは容易であり、これらの部品を選別して容易にリサイクル利用することができる。
【００３２】
駆動部４２は、ＡＣ１００Ｖで駆動されるモータ４２ａと、モータ４２ａの回転力を減速して駆動部４２に伝達するギヤ機構４２ｂとを備えて構成されている。モータ４２ａには、箱体本体２１の背面に設けられた電源端子部４２ｃを通して電力が供給される。
【００３３】
モータ４２ａは、インターロックスイッチ（図示せず）、運転スイッチ４２ｄ及び停止スイッチ４２ｅを介して電源端子部４２ｃに接続されている。インターロックスイッチは、保護カバー２２を閉じた時に閉路され、保護カバー２２を開いた時に開路するように設けられている。これによって、保護カバー２２を閉じた際にのみ駆動部４２が駆動されるので、カッター４１の切断操作時に回転するカッター４１で怪我をしたり、切粉が飛散して怪我をしたりすることを防止することができ、安全性に優れたものとなっている。
【００３４】
運転スイッチ４２ｄが押されて切断機構４０が運転すると点灯し、停止スイッチ４２ｅが押されて切断機構４０が停止すると消灯する電源ランプ４２ｆが設けられている。運転スイッチ４２ｄ、停止スイッチ４２ｅ及び電源ランプ４２ｆは、台部３１の上面に設けられた制御盤４２ｇに配置されている。
【００３５】
移動操作部４３は、切断機構４０を上方に移動することによりカッター４２を切断位置に移動させる移動機構４５と、この移動機構４５に駆動力を加えるための操作摘み４６とを備えて構成されている。
【００３６】
移動機構４５は、モータ４２ａと操作摘み４６との間を構造的に複数の機構部材４５ａ、４５ｂで連結している。機構部材４５ａは、モータ４２ａの中心部と機構部材４５ｂの一側端部との間に設けられ、機構部材４５ｂ側を回動軸としてモータ４２ａを回動できるように設けられている。この回動は、側面から見て時計方向に回動するものであり、ハードディスク１の平面に対しては直角に移動するので、カッター４１が切断時に変形することがなく、確実に切断できる。また、本実施例によれば、駆動部を回転することにより移動するため、その移動操作部４３の構造を簡単なものとすることができる。機構部材４５ｂは、機構部材４５ａと操作摘み４６との間に設けられ、操作摘み４６の操作力を機構部材４５ａの回動力に変換するためのものである。
【００３７】
本実施例では、カッター４１を垂直（即ち、モータ４２ａを水平）に設置しているので、ハードディスク１を切断する際に、図１の切断部４４に示すように、垂直に切断することができる。図１の４４’のようにハードディスク１のスピンドルモータを切断することなく、磁気ディスク２への切り込み量を増加するには、モータ４２ａを傾けカッター４１を傾ければよい。このようにすれば、磁気ディスク２に記録された情報をより確実に破壊することができる。
【００３８】
操作摘み４６は、一つの三角形状手動ハンドルで構成され、箱体本体２１の前面に露出して設けられている。この操作摘み４６を操作者が手動で回動操作することにより、移動機構部を動作させて切断機構４０を上方に移動することができるようになっている。
【００３９】
操作摘み４６を三角形状手動ハンドルとしたことにより、次のような効果を奏することができる。電動式でカッター４１を上昇または下降させる機構とすると、ハードディスク１の破砕に際して、例えばハードディスク１の堅い部分にカッター４１の鋸刃が当たったりした場合でも、カッター４１を同じ速度で移動するため、カッター４１の鋸刃が欠けてしまうおそれがある。これに対して、本実施例では、ハードディスク１の堅い部分にカッター４１の鋸刃が当たったりした場合には、鋸刃が欠けないように手動でゆっくりカッター４１を移動していくことができ、カッター４１の鋸刃の欠けるのを防止しつつ、確実にハードディスク１を切断することができる。即ち、操作摘み４６はカッター４１の移動機構部４３ｂと構造的に接続されているので、操作摘み４６の手触り（手の感触）で固い部分を切断しているかどうかを作業者が判断できるような構成としてある。また、操作摘み３ａは三角形状のハンドルとなっているので、作業者の手の動作で一度に大きくカッター４１を移動することが出来ず、かならず手を持ち替えないと連続してカッター４１の移動が出来ないようになっている。これによって、作業者が誤ってハードディスク１を切断しすぎることを容易に防止できる。
【００４０】
更には、カッター４１の上昇または下降の移動量がデジタル表示で目視できるように、カッター移動量表示部４７が箱体本体２１の上面に運転スイッチ４２ａや運転停止スイッチ４２ｄ等と共に設置されている。これによって、ハードディスク１の切断量をより一層確実に確認することができる。
【００４１】
切粉収納容器５０は、上面が穴３１ａに対向して開口され、カッター４１の反駆動部側に隣接して設けられている。この構成と、カッター４１の鋸刃がハードディスク１を切断する際に発生する切粉の主発生側が反駆動部側となるような形状に形成されていることとが相俟って、ハードディスク１をカッター４１で切断する際に発生する切粉の殆どを切断時に直接的に切粉収納容器内に落下させて貯留させることができる。
【００４２】
この切粉収納容器５０は、装置箱体２０内から取り出し可能に設置されている。装置箱体２０の側面には、切粉収納容器を取り出すためのカバー（図示せず）が着脱可能に設けられている。この構成によって、ハードディスク１を切断することによって発生した切粉を容易に廃棄することができる。
【００４３】
【発明の効果】
以上説明したように、本発明によれば、ハードディスクを簡単に短時間で破壊して確実に機密保持できると共に、軽量小型で持ち運びが可能なハードディスク破壊装置を提供することができる。
【図面の簡単な説明】
【図１】本発明のハードディスク破壊装置の破壊対象となるハードディスクの一例を示す正面図である。
【図２】図１のハードディスクのＡ−Ａ断面相当図である。
【図３】本発明の一実施例のハードディスク破壊装置の縦断面図である。
【図４】図３のハードディスク破壊装置の正面図である。
【図５】図３のハードディスク破壊装置の平面図である。
【符号の説明】
１…ハードディスク、２…磁気ディスク、３…スピンドルモータ、４…ディスクケース、４ａ…ケース本体、４ｂ…ケースカバー、４ｃ…締結具、５…アクチュエータ、１０…ハードディスク破壊装置、２０…箱体、２１…箱体本体、２１ａ…防音材、２２…保護カバー、２２ａ…防音材、２２ｂ…回動軸、２２ｃ…摘み、２２ｄ…透視部、２３…把持部、３０…保持部、３１…台部、３１ａ…穴、３２…位置決め部、３２ａ、３２ｂ…位置決め部材、３２ｃ、３２ｄ…クランプ部材、４０…切断機構部、４１…カッター、４２…駆動部、４２ａ…モータ、４２ｂ…ギヤ機構、４２ｃ…電源端子部、４２ｄ…運転スイッチ、４２ｅ…停止スイッチ、４２ｆ…電源ランプ、４２ｇ…制御盤、４３…移動操作部、４５…移動機構、４６…操作摘み、４７…カッター移動量表示部、５０…切粉収納容器（切粉貯留部）。
【図１】
2005040666.tif 000003
【図２】
2005040666.tif 000004
【図３】
2005040666.tif 000005
【図４】
2005040666.tif 000006
【図５】
2005040666.tif 000007